(57)【要約】【課題】より好適に映像表示装置の省電力制御を行う。【解決手段】ユーザとの距離を計測するセンサと、映像表示処理または音声出力処理について、通常モードと省電力モードとを切り替える省電力制御部とを備え、省電力制御部は、センサが計測するユーザとの距離の時間微分に基づいて、通常モードと省電力モードの切替を行う。【選択図】図１
2011029949.tif 000002
【特許請求の範囲】
【請求項１】
ユーザとの距離を計測するセンサと、
映像表示処理または音声出力処理について、通常モードと省電力モードとを切り替える省電力制御部とを備え、
前記省電力制御部は、前記センサが計測するユーザとの距離の時間微分に基づいて、前記通常モードと前記省電力モードの切替を行うことを特徴とする映像表示装置。
【請求項２】
請求項１に記載の映像表示装置において、
前記省電力制御部は、前記センサが計測するユーザとの距離の時間微分の絶対値が所定の閾値を超えた場合に前記通常モードから前記省電力モードへ切り替える制御を行うことを特徴とする映像表示装置。
【請求項３】
請求項２に記載の映像表示装置において、
前記省電力制御部は、前記センサが計測するユーザとの距離の時間微分の絶対値が前記所定の閾値よりも小さくなった場合に前記省電力モードから前記通常モードへ切り替える制御を行うことを特徴とする映像表示装置。
【請求項４】
請求項３に記載の映像表示装置において、
前記省電力制御部は、前記センサが計測するユーザとの距離が第２の閾値を超えた場合には、前記通常モードから前記省電力モードへ切り替える制御を行うことを特徴とする映像表示装置。
【請求項５】
請求項１乃至４に記載の映像表示装置において、
受信または入力または記録媒体からの再生によりデジタル情報を取得する取得部と、
前記取得部が取得したデジタル情報に含まれる映像情報について２次元表示を行うためのデコードと、３次元表示を行うためのデコードとのいずれかのデコードを行うデコード部とを備え、
前記省電力制御部による、前記通常モードと前記省電力モードの切替に応じて、前記デコード部の２次元表示を行うためのデコードと３次元表示を行うためのデコードとを切り替えることを特徴とする映像表示装置。
【請求項６】
請求項５に記載の映像表示装置において、
表示部を備え、
前記映像表示装置は、前記３次元表示を行うためのデコードによりデコードされた映像は、左右の眼に対応する映像を前記表示部に時間的に交互に表示し、前記映像表示装置と有線通信手段または無線通信手段により接続され、左右の眼に対応する電子シャッターを左右交互に開閉する３次元表示対応眼鏡を用いてユーザが視聴することにより映像の３次元表示を行う装置であって、
前記省電力制御部は、前記通常モードと前記省電力モードの切替に応じて、有線または無線通信手段を介して、前記３次元表示対応眼鏡に対して、電子シャッターを左右交互開閉する動作の停止をする通知情報または制御情報の送信を行うことを特徴とする映像表示装置。
【請求項７】
請求項１乃至４に記載の映像表示装置において、
表示部を備え、
前記表示部に表示するための映像を高画質化する処理を行う高画質化部を備え、
前記省電力制御部が前記省電力モードから前記通常モードへ切り替える制御を行う場合には、
前記高画質化部の高画質化処理の全部もしくは一部を停止することを特徴とする映像表示装置。
【請求項８】
請求項１乃至４に記載の映像表示装置において、
表示部または音声出力部を備え、
前記省電力制御部が前記省電力モードから前記通常モードへ切り替える制御を行う場合には、
前記表示部の表示輝度を前記通常モードよりも低減する、または前記音声出力部からの出力音量を前記通常モードよりも低減することを特徴とする映像表示装置。
【請求項９】
請求項１乃至４に記載の映像表示装置であって、
有線通信手段または無線通信手段を介して外部接続機器と接続されており、
前記省電力制御部は、前記省電力モードと前記通常モードとの切り替えの際には、前記有線通信手段または前記無線通信手段を介して、前記外部接続機器に対し、前記省電力モードと前記通常モードとの切り替えの通知情報または制御情報を送信することを特徴とする映像表示装置。
【請求項１０】
請求項１乃至４に記載の映像表示装置であって、
表示部を備え、
前記省電力制御部は、前記省電力モードと前記通常モード間のモード移行の前に、モード移行を行ってよいか確認する旨の表示を前記表示部に表示する制御を行うことを特徴とする映像表示装置。
【発明の詳細な説明】
【技術分野】
【０００１】
本発明は、映像表示装置の省電力化制御技術に関するものである。
【背景技術】
【０００２】
従来、映像表示装置において、消費電力の削減や製品寿命の延長を目的として、省電力モードが導入されてきた。これは、ディスプレイの輝度を落としたり、音量を小さくしたりすることで、消費電力を削減するものである。但し、省電力モードへの移行は、ユーザからの指示、例えばリモコン操作によって行わなくてはならないため、切り替えが煩雑であった。
【０００３】
例えば、特許文献１では、複数台のビデオカメラを映像表示装置に取り付け、ステレオ法によりユーザまでの距離を算出し、その距離に応じて、パネルの輝度を低くし、スピーカの音量を小さくする手法が開示されている。
【先行技術文献】
【特許文献】
【０００４】
【特許文献１】特開２０００―１５２１０９号公報
【発明の概要】
【発明が解決しようとする課題】
【０００５】
しかしながら、ユーザが映像表示装置からある一定の距離範囲内にいれば、たとえ画面を注視していなくても、省電力モードに移行しない、という問題があった。
【０００６】
本発明は、上記課題に鑑みてなされたものであって、より好適に映像表示装置の省電力制御を行う。
【課題を解決するための手段】
【０００７】
上記課題を解決するためには、例えば特許請求の範囲に記載されるように構成すればよい。
【発明の効果】
【０００８】
本発明によれば、より好適に映像表示装置の省電力制御を行うことが可能となる。
【図面の簡単な説明】
【０００９】
【図１】本発明の実施例１に係る映像表示装置を示すブロック図の一例である。
【図２】実施例１の省電力制御部１２１の内部状態の状態遷移図の一例である。
【図３】実施例１のセンサ１２０の設置位置および、映像表示装置の可聴範囲５０１を示す図の一例である。
【図４】実施例１のセンサ１２０におけるモードの切り替え方法を示す図の一例である。
【図５】実施例１のセンサ１２０におけるモードの切り替え方法を示すフローチャートの一例である。
【図６】実施例１のセンサ１２０におけるモードの切り替え方法を示す図の一例である。
【図７】実施例１のセンサ１２０におけるモードの切り替え方法を示すフローチャートの一例である。
【図８】本発明の実施例２に係る映像表示装置を示すブロック図の一例である。
【発明を実施するための形態】
【００１０】
以下、本発明を実施するための形態について、図面を参照しつつ以下に説明する。
【実施例１】
【００１１】
まず、本発明の第１の実施例について、図１から図７を用いて説明する。
【００１２】
図１は、本発明に係る映像表示装置の第１実施例の回路ブロック図を示すものであって、図示されるように、映像表示装置３００は、チューナ１００、デコーダ１０１、高画質化部１０２、パネル(表示部)１０３、高音質化部１１２、スピーカ１１３、センサ１２０、省電力制御部１２１から構成される。
【００１３】
本実施例では、映像表示装置３００へはアンテナ２００から映像信号が入力され、また、周辺機器(外部接続機器)１３０が映像表示装置３００に接続されている。
【００１４】
周辺機器(外部接続機器)１３０は、省電力機能を備えた電化製品ならばどのような形態のものであっても良い。以下の説明では、例えば、ＨＤＤ（Ｈａｒｄ Ｄｉｓｋ Ｄｒｉｖｅ）レコーダや、サラウンドシステム、照明、空調などで良い。本実施例では、周辺機器１３０はＨＤＤレコーダであるものとする。
【００１５】
以下、各要素の動作、機能について詳細に説明する。
【００１６】
省電力制御部１２１は、図２に示すように、内部状態として通常モード４０１および省電力モード４０２を備え、映像表示装置３００全体の状態制御を行っている。この内部状態は、センサ部１２０からの入力（通常モード移行命令または省電力モード移行命令）に応じて遷移する。
【００１７】
チューナ１００は、アンテナ２００から入力された放送波を受信し、デコーダ部１０１にストリームとして出力する。
【００１８】
デコーダ部１０１は、デコーダ部１０１から出力されたストリームを復号し、画像データを高画質化部１０２へ、音声データを高音質化部１１２へ出力する。
【００１９】
高画質化部１０２は、省電力制御部１２１の内部状態が通常モードの場合は、デコーダ部１０１から出力された画像データに、高品質な画像データに変換する高画質化処理を行って、パネル１０３に出力する。
【００２０】
ここで、高画質化処理の例としては、例えば、フレームレート変換処理、カラーマネジメント処理、コントラスト補正処理、ノイズリダクション処理などが挙げられる。
【００２１】
また、省電力制御部１２１の内部状態が省電力モードの場合は、デコーダ部１０１から出力された画像データを、高画質化処理を停止してそのままパネル１０３（表示部）に出力する、あるいは電力を消費しないように簡略化した高画質化処理を適用した後、パネル１０３に出力する。
【００２２】
ここで、簡略化した高画質化処理の一例としては、例えば動き補償型フレームレート変換を非動き補償型フレームレート変換に変更するなどより処理量の小さい変換処理に変更して行う高画質化処理、またはカラーマネジメントを行わないなど高画質化処理の一部を停止するなどが挙げられる。
【００２３】
パネル（表示部）１０３は、省電力制御部１２１の内部状態が通常モードの場合は、高画質化部１０２から出力された画像データを、可視光に変換して出力する。
【００２４】
また、省電力制御部１２１の内部状態が省電力モードの場合は、液晶ディスプレイパネルの場合にはバックライトを減光させる、プラズマディスプレイパネルの場合には出力輝度を下げるまたは消灯させるなど、表示輝度を低下させる方法で消費電力を低減する。
【００２５】
高音質化部１１２は、省電力制御部１２１の内部状態が通常モードの場合は、デコーダ部１０１から出力された音声データを、高品質な音声データに変換する高音質化処理を行って、スピーカ１１３に出力する。
【００２６】
ここで、高音質化処理の例としては、５．１ｃｈなどのマルチチャンネル出力処理、仮想サラウンド化処理、イコライジング処理、などが挙げられる。
【００２７】
また、省電力制御部１２１の内部状態が省電力モードの場合は、高音質化処理を停止してそのままスピーカ１１３に出力する、あるいは電力を消費しないように簡略化した高音質化処理を適用した後、スピーカ１１３に出力する。
【００２８】
ここで、簡略化した高音質化処理一例としては、５．１ｃｈ再生を２ｃｈ再生に変更する、または仮想サラウンド化を処理を行わないなど、高音質化処理の一部を停止するなどが挙げられる。
【００２９】
スピーカ１１３は、省電力制御部１２１の内部状態が通常モードの場合は、高音質化部１１２から出力された音声データを、音に変換して出力する。
【００３０】
また、省電力制御部１２１の内部状態が省電力モードの場合は、出力音量を下げる、または消音させる、などの方法で消費電力を低減する。
【００３１】
以上説明した構成により、映像表示装置３００は、アンテナから入力された放送波を、光および音として出力することが可能となる。また、その消費電力を削減しつつテレビジョン放送を受信し、光と音として出力することが可能となる。
【００３２】
次に、センサ部１２０の動作について説明する。センサ部１２０は、超音波センサ、赤外線センサ、可視光センサ（ビデオカメラ）などで、あるいはそれらを組み合わせて構成する。センサ１２０は、図３に示すように、映像表示装置３００の可視範囲５０１をセンシングできるように、映像表示装置３００の前方に備えると良い。
【００３３】
本実施例の以降の説明においては、一例としてセンサ部１２０は、赤外線センサおよび超音波センサで構成するものとする。赤外線センサは物体が発する熱を測定可能であり、超音波センサは物体までの距離を測定可能である。
【００３４】
つまり、視聴範囲５０１を超音波センサによって走査して何らかの物体が検出でき、かつ、その物体の熱を赤外線センサで測定し、ヒトの体温が検知できたならば、ユーザが視聴範囲５０１内に存在していると判定する。このとき、超音波センサによってユーザまでの距離Ｄも測定する。
【００３５】
但し、ユーザまでの距離Ｄを計測できるならば、センサの種類は上記の例に限られるものではない。
【００３６】
上記ユーザの存在判定および距離計測を時間的に連続して行うと、ユーザ５００の動きが計測できる。
【００３７】
例えば、図４、図５に示すように、ユーザ５００までの距離Ｄが閾値αを超えたとき、ユーザ５００が映像表示装置３００を注目していないとみなし、センサ部１２０は省電力制御部１２１に省電力モード移行命令を出力する。
【００３８】
また、ユーザ５００までの距離Ｄが閾値α以内ならば、ユーザ５００が映像表示装置３００を注視しているとみなし、省電力制御部１２１に通常モード移行命令を出力する。
【００３９】
さらに、ユーザ５００までの距離Ｄが閾値α以内であっても、以下の処理を行うことにより、精度のよい省電力制御を行うことが可能となる。
【００４０】
すなわち、図６，図７に示すように、ユーザ５００までの距離Ｄの微分値の絶対値（すなわち、ユーザの移動速度の絶対値）が閾値βを超えたとき、つまり、ユーザ５００が慌ただしく動いているとき、ユーザ５００が映像表示装置３００を注目していないと判断し、センサ部１２０は省電力制御部１２１に省電力モード移行命令を出力する。
【００４１】
また、ユーザ５００までの距離の微分値の絶対値が閾値β以内ならば、ユーザがじっとしている、つまりユーザ５００が映像表示装置３００を注視していると判断し、省電力制御部１２１に通常モード移行命令を出力する。
【００４２】
以上説明したセンサ部１２０の構成により、ユーザが映像表示装置３００を視聴していないときに、映像表示装置３００を省電力モードに移行させることにより、映像表示装置３００の省電力化を図ることが可能になる。
【００４３】
つまり、ユーザが映像表示装置３００の画面に注目していないときに高画質化処理を省略する、画面の輝度を低下させる、高音質化処理を省略する、または音声出力の大きさを低下させることが可能となり、ユーザが視聴する画面が音声をなるべく変化させずに、省電力化を図ることができる。
【００４４】
以上説明した構成によれば、センサ部により取得したユーザまでの距離に加え、ユーザまでの距離の微分値を省電力モードと通常モードの切替の判断に用いることにより、より好適な省電力制御が可能となる。
【００４５】
また、省電力制御部１２１の内部状態が変わるとき、つまり、通常モードから省電力モードに移行するとき、あるいは省電力モードから通常モードへ移行するときに、ユーザにモードを移行してよいかの判断を促す表示を行っても良い。例えば、映像に省電力モードに移行してよいかの判断を促す旨の表示をスーパーインポーズし、さらに音声に警告音を重畳して出力することで、ユーザを喚起する。このとき、センサ部１２０が、所定時間内にユーザがモードを戻すような行動（画面を注視する）を感知しない場合には、モードを移行する。あるいは、所定時間内に映像表示装置３００に付属のリモコンのいずれかのボタンが押下されない場合、モードが移行されるようにしてもよい。
【００４６】
この構成により、映像表示装置３００が通常モードから省電力モードに移行するとき、あるいは省電力モードから通常モードへ移行するときに、ユーザに移行許可を求めることができるようになり、ユーザの意図に反してモードが移行してしまうことを防ぐことができる。
【００４７】
また、図２に示すように、省電力制御部１２１が、映像表示装置３００のモード状態を周辺機器１３０に通知または制御情報の送信を行うように構成することもできる。
【００４８】
この時の通信手段には、HDMI（High-Definition Multimedia Interface）のCEC（Consumer Electronics Control）プロトコルを用いても良いし、ＩＰネットワーク上で実現することも考えられる。もちろん、専用の通信線および独自のプロトコルを用いても良い。有線通信手段であっても、無線通信手段であってもよい。
【００４９】
周辺機器１３０は、省電力制御部１２１の内部状態が通常モードの場合は、通常の動作（消費電力）で動作し、省電力制御部１２１の内部状態が省電力モードの場合は、電力消費を抑えつつ動作する。例えば、周辺機器１３０がＨＤＤレコーダならば、省電力モードの場合には高画質化処理を省略するといった方法によって、消費電力を削減する。
【００５０】
この構成により、ユーザが映像表示装置３００を視聴していないときに、映像表示装置３００だけでなく、その周辺機器１３０も省電力モードに移行させることで、更なる省電力化を図ることができる。
【００５１】
以上の説明においては、図１において、デコーダ部１０１が、アンテナ２００から入力された放送波をチューナ１００が受信して生成したストリームをデコードすることとして説明したが、これに限られず、外部入力信号２０１を入力する入力部１２２から出力されるストリームをデコードしてもよく、記録媒体１２３に記録される信号を再生する再生部１２４が再生したストリームをデコードしてもよい。すなわち、映像表示装置３００が受信、入力、記録媒体からの再生などによりデジタル信号を取得して、デジタルストリームを取得できればよく、チューナ１００、入力部１２２、再生部１２４はデジタル情報取得部ということも可能である。
【００５２】
ここで、記録媒体１２３はＨＤＤでも光ディスクなどでもよく、映像表示装置３００に内蔵される形式のものでも、映像表示装置３００から着脱可能なリムーバブル記録媒体でもよい。
【００５３】
以上説明した実施例１に係る映像表示装置によれば、より好適な省電力制御が可能となる。
【実施例２】
【００５４】
次に、本発明の実施例２について図８を用いて説明する。本発明の実施例２に係る映像表示装置８００は３次元表示に対応する映像表示装置である。
【００５５】
映像表示装置８００は、図１の映像表示装置３００に比べてデコーダ１０１を、２次元表示用デコード／３次元表示用デコード(２Ｄ／３Ｄデコード)を切替可能なデコーダ８０１に変更し、省電力制御部１２１を、省電力制御部１２１同様の制御に加え、デコーダ８０１の制御も行う省電力制御部８２１へ変更し、省電力制御部８２１が制御する周辺機器１３０を電子シャッターを備えた３次元（３Ｄ）表示対応眼鏡８３０に変更したものである。
【００５６】
その他の構成、動作については、実施例１と同様であるため、説明を省略する。
【００５７】
なお、以下の例では、デコーダ８０１は、ユーザの左右の眼に対してそれぞれ認識させたい視差を有する画像をデコードしてパネル１０３に時間的に交互に表示し、３次元（３Ｄ）表示対応眼鏡８３０の左右の眼に対応する電子シャッターをパネル１０３の表示と同期させて交互に開閉し、パネル１０３に交互に表示される視差を有する画像をユーザの左右の眼に認識させることにより、３次元表示を実現する方式として説明する。なお、電子シャッターは、液晶シャッターなどにより構成すればよい。
【００５８】
ここで、３次元表示用デコードは、２次元表示用デコードよりも処理量が必要となる。そこで、本実施例では、前記センサ部１２０におけるユーザの注目判定により、ユーザが映像表示装置８００を注目していないと判断したとき、省電力制御部８２１の省電力モードへの移行命令により、デコーダ８０１は、３次元表示用デコードの処理を止め、２次元表示用デコードに移行する。
【００５９】
なお、高画質化部１０２やパネル部１０３についても、３次元表示と２次元表示で異なる処理が必要である場合には、合わせて処理を変更する。
【００６０】
逆に、ユーザが映像表示装置８００を注視していると判断したときは、省電力制御部８２１の通常モードへの移行命令により、デコーダ８０１は、２次元表示用デコードを止め、３次元表示用デコードの処理に移行する。高画質化部１０２やパネル部１０３についても、必要であれば処理を変更する。
【００６１】
この構成により、ユーザが映像表示装置８００を注視していないときに、デコーダ８０１の３次元表示用デコードを止め、３次元表示用デコードに必要な各部を動作を省略することが可能となり、映像表示装置８００の省電力化を図ることができる．
さらに、省電力モードまたは通常モードへの移行の場合に、省電力制御部１２１から３次元表示対応眼鏡８３０へ通知または制御情報の送信を行っても良い。
【００６２】
例えば、省電力制御部８２１が映像表示装置８００内の各部に通常モードから省電力モードへの移行命令を通知する場合には、省電力制御部８２１は３次元表示対応眼鏡８３０へ電子シャッターの左右交互の開閉動作を停止して、電子シャッターを開放する旨の通知または制御情報の送信を行っても良い。このようにすれば、映像表示装置８００が３次元表示を行っていない場合に、３次元表示対応眼鏡８３０の電子シャッターの左右交互の開閉動作を省略することが可能となり、省電力化が図れる。
【００６３】
省電力制御部８２１と３次元表示対応眼鏡８３０への通知または制御情報の送信は、例えば、有線信号による有線通信手段で行ってもよいが、赤外線通信やその他無線通信手段で行えばよい。
【００６４】
このとき、省電力モード中は、電子シャッターは完全開放で固定するようにしても良いが、例えば透過率５０％近傍で固定してもよい。３次元表示対応眼鏡８３０の電子シャッターの左右交互の開閉動作を行っている場合、所定時間内にユーザの眼に入る光の量は、電子シャッターは完全開放時の場合の約５０％に相当する。そのため、上記のように省電力モード中の電子シャッターを透過率５０％近傍で固定することにより、通常モードから省電力モードへの移行の際のユーザの感じる違和感を低減することが可能となる。
【００６５】
さらに、省電力制御部８２１が映像表示装置８００内の各部に省電力モードから通常モードへの移行命令を通知する場合には、省電力制御部８２１は電子シャッターを開放または５０％透過状態の３次元表示対応眼鏡８３０へ電子シャッターの左右交互の開閉動作を開始する旨の通知または制御情報の送信を行えば良い。
【００６６】
以上説明したように、モード移行の際に省電力制御部から３次元表示対応眼鏡へ通知または制御情報の送信を行うことにより、映像表示装置のみならず、３次元表示対応眼鏡の消費電力の低減も図ることができる。
【００６７】
なお、上記の説明では、３次元表示対応眼鏡を用いる３次元表示対応の映像表示装置を例に挙げて説明したが、例えば、裸眼立体視向け表示が可能なパネル、モニタをパネル１０３の代わりに用いる場合の３次元表示対応映像表示装置の場合であっても、デコーダ８０１については、上記の説明のとおりの省電力制御が可能である。但し、この場合は３次元表示対応眼鏡８３０が不要となるので、当然ながら３次元表示対応眼鏡８３０への通知処理、制御情報の送信処理は不要である。
【００６８】
以上説明した実施例２に係る映像表示装置によれば、３次元表示対応の映像表示装置においても、ユーザの視聴を極力妨げずに、より好適な省電力制御が可能となる。
【符号の説明】
【００６９】
１００  チューナ、１０１  デコーダ、１０２  高画質化部、１０３  パネル（表示部）、１１２  高音質化部、１１３  スピーカ、１２０  センサ、１２１  省電力制御、１３０  周辺機器、２００  チューナ、３００  映像表示装置、４０１  通常モード、４０２  省電力モード、５００  ユーザ、５０１  可聴範囲、８０１  デコーダ、８２１  省電力制御、８３０  ３次元表示対応眼鏡
【図１】
2011029949.tif 000003
【図２】
2011029949.tif 000004
【図３】
2011029949.tif 000005
【図４】
2011029949.tif 000006
【図５】
2011029949.tif 000007
【図６】
2011029949.tif 000008
【図７】
2011029949.tif 000009
【図８】
2011029949.tif 000010